(57)【要約】【課題】  吐水軌跡を変化させながら広範囲に面状にシャワー状の吐水流を吐水することができる吐水装置を提供する。【解決手段】洗浄水が流入する流入室と、前記流入室の内部と外部とを連通する開口部と、を有するガイド部材と、前記開口部より小径な縮径部を有し、前記縮径部の先端を前記開口部から前記ガイド部材の外部に突出させた状態で前記流入室の内部に設けられ、前記流入室に流入した洗浄水を前記縮径部の先端から流出可能な吐水口を有する筒体と、を備え、前記筒体は少なくとも前記縮径部の一部を前記開口部に接触させた状態で前記流入室の中心軸に対して傾きながら前記流入室の中心軸のまわりに首振り公転し、且つ前記筒体は自身の中心軸のまわりに自転し、前記縮径部の先端に径方向且つ前記開口部側に伸展するリブ部を有することを特徴とする吐水装置。【選択図】  図１
2010075894.tif 000002
【特許請求の範囲】
【請求項１】
洗浄水が流入する流入室と、前記流入室の内部と外部とを連通する開口部と、を有するガイド部材と、
前記開口部より小径な縮径部を有し、前記縮径部の先端を前記開口部から前記ガイド部材の外部に突出させた状態で前記流入室の内部に設けられ、前記流入室に流入した洗浄水を前記縮径部の先端から流出可能な吐水口を有する筒体と、
を備え、
前記筒体は少なくとも前記縮径部の一部を前記開口部に接触させた状態で前記流入室の中心軸に対して傾きながら前記流入室の中心軸のまわりに首振り公転し、且つ前記筒体は自身の中心軸のまわりに自転し、
前記縮径部の先端に径方向且つ前記開口部側に伸展するリブ部を有することを特徴とする吐水装置。
【請求項２】
前記吐水口は、前記縮径部の先端に前記筒体の中心軸に対して非対称な関係で傾斜していることを特徴とする請求項１に記載の吐水装置。
【請求項３】
洗浄水が流入する流入室と、前記流入室の内部及び外部に通じて設けられた開口部とを有するガイド部材と、
前記開口部より小径な縮径部を有し、前記縮径部の先端を前記開口部から前記ガイド部材の外部に突出させた状態で前記流入室の内部に設けられ、前記流入室に流入した洗浄水を前記縮径部の前記先端から流出可能な吐水口を有する筒体と、
前記筒体に連結され、前記縮径部の前記先端から流出した洗浄水を一時的に貯留するバッファ室と、前記バッファ室に連通した複数の吐水孔が形成され、前記縮径部より径方向に大きな散水板とを有する、ヘッドと、
を備え、
前記筒体は少なくとも前記縮径部の一部を前記開口部に接触させた状態で前記流入室の中心軸に対して傾きながら前記流入室の中心軸のまわりに前記ヘッドと一体に首振り公転し、且つ前記筒体は自身の中心軸のまわりに前記ヘッドと一体に自転し、
前記筒体と前記ヘッドとの境界部に、径方向且つ開口部方向に延伸したリブ部を有することを特徴とする吐水装置。
【請求項４】
洗浄水が流入する流入室と、前記流入室の内部及び外部に通じて設けられた開口部とを有するガイド部材と、
前記開口部より小径な縮径部を有し、前記縮径部の先端を前記開口部から前記ガイド部材の外部に突出させた状態で前記流入室の内部に設けられ、前記流入室に流入した洗浄水を前記縮径部の前記先端から流出可能な吐水口を有する筒体と、
前記筒体に連結され、前記縮径部の前記先端から流出した洗浄水を一時的に貯留するバッファ室と、前記バッファ室に連通した複数の吐水孔が形成され、前記縮径部より径方向に大きな散水板とを有する、ヘッドと、
を備え、
前記筒体は少なくとも前記縮径部の一部を前記開口部に接触させた状態で前記流入室の中心軸に対して傾きながら前記流入室の中心軸のまわりに前記ヘッドと一体に首振り公転し、且つ前記筒体は自身の中心軸のまわりに前記ヘッドと一体に自転し、
前記ヘッドはその下面に、前記開口部方向に延伸するリブ部を有することを特徴とする吐水装置。            
【請求項５】
前記複数の吐水孔は前記筒体の中心軸に対して非対称な関係で各々が傾斜していることを特徴とする請求項３または４に記載の吐水装置。
【発明の詳細な説明】
【技術分野】
【０００１】
本発明は、ノズルを首振り公転させたり自転させながら吐水を行わせる際、ノズルの回転による細かい水滴の飛散を防ぐことができる吐水装置に関する。
【背景技術】
【０００２】
従来、ノズルが収容された流入室内に形成される旋回流によってノズルを首振り公転させたり自転させながら吐水を行わせる吐水装置が知られている（例えば、特許文献１）。
【特許文献１】特許第３５１８５４２号公報
【発明の開示】
【発明が解決しようとする課題】
【０００３】
特許文献１に開示された吐水装置は、ノズルを首振り公転させたり自転させながら吐水することで少ない水量で広範囲に吐水させることが可能である。
しかし、ノズルを首振り公転させたり自転させるために、流入室とノズルに隙間が必要であり、その隙間からのわずかながら漏れ水が発生し、細かい水滴が周囲へ飛散し、水垢等の汚れが出る。また、ノズルの先にヘッドがついている場合は漏れ水がノズルを伝い、ヘッドの傾斜に沿って円周上に細かい水滴が飛散する。細かい水滴のため、放熱し易く、人体に着水した際には、冷たい吐水となり、不快感を与える。
【０００４】
本発明は上述の問題に鑑みてなされ、ノズルの回転による細かい水滴の飛散を防ぐことができる吐水装置を提供する。
【課題を解決するための手段】
【０００５】
本発明の一態様によれば、洗浄水が流入する流入室と、前記流入室の内部と外部とを連通する開口部と、を有するガイド部材と、前記開口部より小径な縮径部を有し、前記縮径部の先端を前記開口部から前記ガイド部材の外部に突出させた状態で前記流入室の内部に設けられ、前記流入室に流入した洗浄水を前記縮径部の先端から流出可能な吐水口を有する筒体と、を備え、前記筒体は少なくとも前記縮径部の一部を前記開口部に接触させた状態で前記流入室の中心軸に対して傾きながら前記流入室の中心軸のまわりに首振り公転し、且つ前記筒体は自身の中心軸のまわりに自転し、前記縮径部の先端に径方向且つ前記開口部側に伸展するリブ部を有することを特徴とする吐水装置が提供される。
【発明の効果】
【０００６】
本発明によれば、ノズルを首振り公転させたり自転させながら吐水を行わせる際、ノズルの回転による細かい水滴の飛散を防ぐことができる吐水装置が提供される。
【発明を実施するための最良の形態】
【０００７】
以下、図面を参照し、本発明の実施形態について説明する。
【０００８】
図１は、本発明の実施形態に係る吐水装置の模式断面図を示す。  
本実施形態に係る吐水装置は、主として、ガイド部材１と、筒体２０とリブ部２６を備えている。
【０００９】
ガイド部材１は、球体部２の内部に貫通孔が形成された構造を有する。球体部２の内部には、球体部２の直径方向に延びる流入室３が形成されている。流入室３の軸方向の一端部には、流入室３の内部及び外部に通じる開口部４が設けられている。開口部４の内径寸法は流入室３の内径寸法より小さく、開口部４はその中心軸を流入室３の中心軸と一致させている。流入室３の軸方向の他端部側の径外方には流入孔５が形成されている。流入孔５は、流入室３の内部及び球体部２の外部に通じている。ガイド部材１の外部から流入孔５に導かれた洗浄水は、流入孔５を介して流入室３に対して接線方向から流入し、流入室３の内部には洗浄水の旋回流が形成される。開口部４はガイド部材１の外部に対して開放され、流入室３の他端側の開口は封止部材６によって閉塞されている。
【００１０】
筒体２０は、縮径部２１と大径部２２とを有する概略ボトル形状に形成されており、大径部２２の外径寸法は流入室３の内径寸法より小さく、大径部２２は流入室３の内部に収容されている。その大径部２２に一体に設けられた縮径部２１の外径寸法は開口部４の内径寸法より小さく、縮径部２１は開口部４を貫通して、その先端が球体部２の外部に突出している。縮径部２１には筒体の中心軸Ｃ１と非対称な関係で傾斜し連通する吐水口２５が、さらに縮径部２１の先端には径方向且つ前記開口部側に伸展するリブ部２６が設けられている。
【００１１】
図１に示すように、筒体２０と流入室３とが互いの中心軸を一致させた状態では、縮径部２１の外周面と開口部４の内壁面との間に隙間が形成され、さらに大径部２２の外周面と流入室３の内壁面との間にも隙間が形成される。筒体２０は、ガイド部材１に対して固定されておらず、自由に自転したり揺動を行う首振り公転することが可能となっている。
【００１２】
筒体２０の軸方向の両端は開口され、大径部２２側の開口２４から筒体２０内部に流入した洗浄水は、筒体２０内部を軸方向に流れて、縮径部２１に連通する吐水口２５から筒体２０の外部に流出可能である。また、筒体２０の大径部２２の周面（側面）には、周方向に等間隔で間欠的に配置された複数の貫通孔２３が形成され、流入室３内に流入した洗浄水は、それら貫通孔２３を介しても筒体２０の内部に導かれて縮径部２１に連通する吐水口２５から流出可能である。
【００１３】
吐水口２５は、その軸方向が筒体２０の中心軸Ｃ１に対して平行ではなく傾いている。したがって、吐水口２５は、筒体２０の中心軸Ｃ１に対して非対称な関係で傾斜している。すなわち、筒体２０の中心軸Ｃ１を中心にしてその中心軸Ｃ１まわりを１８０度回転させたときと、１８０度回転させる前とで吐水口２５の傾斜方向が一致しない関係となっている。
【００１４】
次に、本実施形態に係る吐水装置の動作および吐水流の動き（軌跡）について説明する。
【００１５】
図２は、前述した流入室３及びこの内部に収容された筒体２０（の大径部２２）を平面方向から見た模式図であり、図３におけるＡＡ−ＡＡ断面に対応する。
【００１６】
図示しない配管等から導かれた洗浄水（湯も含む）は、ガイド部材１に形成された流入孔５を介して、断面形状略円形状の流入室３に対して接線方向からその内部に流入し、これにより、流入室３の中心軸Ｃ２のまわりに旋回した洗浄水の流れが流入室３の内部に形成される。
【００１７】
流入室３の内部に収容された筒体２０（の大径部２２）は、上記旋回流の力を受けることで、図３に示すように流入室３の中心軸Ｃ２に対して傾きながら、例えば図２において矢印Ａで示す方向に流入室３の中心軸Ｃ２のまわりに公転する。図３に示すように、筒体２０の縮径部２１の一部が開口部４に接触し、且つ大径部２２の側面（周面）の一部が流入室３のガイド面３ａに接触することで、流入室３の中心軸Ｃ２に対する筒体２０のそれ以上の傾きが規制される。
【００１８】
本明細書において、流入室３の中心軸Ｃ２に対して筒体２０が傾きながら中心軸Ｃ２のまわりに公転することを「首振り公転」と称する。すなわち、流入室３の中心軸Ｃ２に対して筒体２０が傾きながら中心軸Ｃ２のまわりに公転すると、筒体２０は、縮径部２１が開口部４と接触する部分近傍を中心にして縮径部２１の先端が首を振っているように揺動する。
【００１９】
筒体２０が首振り公転しているとき、縮径部２１の外周面の一部が開口部４の内壁面に接触し、且つ大径部２２の側面（周面）の一部が流入室３のガイド面３ａに接触しているため、それら接触部分に生じる動摩擦力が筒体２０に作用する。この動摩擦力により、筒体２０は開口部４やガイド面３ａとの接触部位を変えずにそのまま接触した状態で流入室３内をすべって移動していくのではなく、開口部４の内壁面やガイド面３ａを転がりながら首振り公転をする。筒体２０が開口部４の内壁面やガイド面３ａを転がるということは、筒体２０が自身の中心軸Ｃ１のまわりに自転するということである。
【００２０】
すなわち、筒体２０は自身の中心軸Ｃ１のまわりに自転しつつ、流入室３の中心軸Ｃ２のまわりに首振り公転する。流入室３の中心軸Ｃ２のまわりの筒体２０の公転方向（図２において矢印Ａ方向）は、流入室３に形成される旋回流の旋回方向と同方向であり、筒体２０の自身の中心軸Ｃ１のまわりの自転方向（図２において矢印Ｂ方向）は公転方向Ａとは逆方向である。尚、この自転に関しては、接触面の動摩擦係数や、筒体２０の大径部２２の材質、形状や、流入孔５からの流入速度や、流入室３と大径部２２との隙間、などで自転方向や自転数を制御することができる。
【００２１】
流入室３に流入した洗浄水の一部は、筒体２０の大径部２２側の端部の開口２４および側面に形成された貫通孔２３から筒体２０の内部に流入して、筒体２０の軸方向を縮径部２１の先端に向かって流れ、外部に吐水される。
【００２２】
筒体２０は、前述したように首振り公転と自転とを組み合わせた動きをするため、本実施形態に係る吐水装置によって得られる吐水流の吐水軌跡（例えば人体等に対する吐水流の衝突部位の人体表面上における移動軌跡）は、自転に起因する軌跡と、首振り公転に起因する軌跡とを組み合わせたものとなる。
【００２３】
その吐水軌跡を図４に模式的に示す。なお、図４において、吐水装置は、可動部分である筒体２０のみを示し、流入室３が形成されたガイド部材１は図示を省略している。
【００２４】
筒体２０及びヘッド４０の自らの中心軸Ｃ１のまわりの一体となった自転により、その自転方向と同じｂ方向に、図４において実線で示されるような円状の軌跡を描いて移動する吐水流が形成される。ここで、吐水口２５が筒体２０の中心軸Ｃ１に対して傾いていることから、吐水口２５が形成された筒体２０の径よりも大きな円を描くように吐水流は移動する。
【００２５】
ここで比較例として、吐水口２５が筒体２０の中心軸Ｃ１に対して平行な場合には、その中心軸Ｃ１に対して対称的な広がりを有する吐水流が吐水され、筒体２０及びヘッド４０が中心軸Ｃ１のまわりに自転しても、吐水流は人体等における同じ部位に当たり続けたままである。
【００２６】
これに対して本実施形態では、複数の吐水口２５が中心軸Ｃ１に対して非対称な関係で傾斜しているため、中心軸Ｃ１に対して非対称的な広がりを有する吐水流が吐水され、筒体２０及びヘッド４０の中心軸Ｃ１のまわりの自転に伴って、吐水流が人体等に対して当たる部位が中心軸Ｃ１のまわりを移動し、比較的広範囲にわたってシャワー流を浴びせることができる構造になっている。
【００２７】
図６は、本発明の他の実施形態に係る吐水装置の模式断面図である。また、図５は、比較例にかかる吐水装置の模式断面図である。なお、前述した実施形態と同じ構成要素には同一の符号を付し、その詳細な説明は省略する。
【００２８】
ここで、前述したように、筒体２０と流入室３とが互いの中心軸を一致させた状態では、縮径部２１の外周面と開口部４の内壁面との間に隙間が形成されている。これにより、筒体２０は、ガイド部材１に対して自由に自転したり揺動を行う首振り公転することができる。そのため、流入孔５４から流入室３に流入した洗浄水であって、筒体２０に流入できなかった洗浄水は、図５に表した矢印Ｆや矢印Ｇのように、縮径部２１の外周面と開口部４の内壁面との間の隙間から外部へ漏れ出す場合がある。
【００２９】
外部へ漏れ出した洗浄水７６は、筒体２０の首振り公転あるいは自転による遠心力を受けて、図５に表したように、筒体２０の円周方向に飛散する場合がある。
このように飛散した洗浄水７６は、遠心力を受けて細かい粒となり飛散するため温度低下しやすく、吐水口２５から吐水された洗浄水よりも温度が低い。そのため、使用者が、飛散した洗浄水７６を浴びると、その洗浄水に対して冷たさを感じるおそれがある。
これに対して、本実施形態にかかる吐水装置では、筒体２０は前述したようにリブ部２６を有している。そのため、洗浄水が、縮径部２１の外周面と開口部４の内壁面との間の隙間を通って、図６に表した矢印Ｄや矢印Eのように外部に漏れ出したとしても、本実施形態の吐水装置は、遠心力を受けて細かい粒となり飛散する洗浄水の量を抑えることができる。
そのため、使用者が洗浄水に対して冷たさを感じるおそれは少ない。したがって、本実施形態の吐水装置は、使用者に不快感を与えることなく人体等を温めることができる。
【００３０】
次に本発明の第２の実施形態について説明する。
図７は、本発明の実施形態に係る吐水装置の模式断面図を示す。  
本実施形態に係る吐水装置は、主として、ガイド部材１と、筒体２０とリブ部２６とヘッドを備えている。
【００３１】
筒体２０がガイド部材１の内部に収納されており、筒体２０の先端に径方向且つガイド部材１の開口部４側に伸展するリブ部２６が設けられている構成は、実施例１で前述したとおりである。
【００３２】
前述した筒体２０の縮頚部２１の先端にはヘッド４０が形成されている。ヘッド４０は筒体２０よりも径方向寸法が大きな扁平状に形成され、その径方向の中心を筒体２０の中心軸Ｃ１に一致させている。ヘッド４０は、漏斗状のバッファ部材４１と散水板４４とを有する。バッファ部材４１の細管部４２の内部に筒体２０の縮径部２１の先端が嵌合固定され、これにより、筒体２０及びヘッド４０は両者一体となって自転したり揺動を行う首振り公転する。
【００３３】
バッファ部材４１の内部にはバッファ室４３が形成され、筒体２０の縮径部２１の先端の開口はバッファ室４３に臨んでいる。バッファ室４３の径方向寸法は筒体２０の径方向寸法より大きく、バッファ室４３には縮径部２１の先端から流出した洗浄水が一時的に貯留可能となっている。
【００３４】
散水板４４は、バッファ室４３における細管部４２とは反対側の開口を塞ぐ蓋状に設けられている。散水板４４は筒体２０よりも径方向寸法が大きな円盤状に形成され、散水板４４にはその厚さ方向を貫通する複数の吐水孔４５が形成されている。吐水孔４５の一端はバッファ室４３に連通し、他端はヘッド４０の外部に臨んでいる。
【００３５】
複数の吐水孔４５は、散水板４４における少なくとも外周側部分に周方向に沿って形成されている。各々の吐水孔４５は、その軸方向が筒体２０の中心軸Ｃ１に対して平行ではなく傾いている。本実施形態では、すべての吐水孔４５が同じ方向に傾斜している。したがって、各々の吐水孔４５は、筒体２０の中心軸Ｃ１に対して非対称な関係で傾斜している
【００３６】
次に、本実施形態に係る吐水装置の動作および吐水流の動き（軌跡）について説明する。
【００３７】
筒体２０が吐水流から受ける作用によって自身の中心軸Ｃ１のまわりに自転しつつ、流入室３の中心軸Ｃ２のまわりに首振り公転する動作は実施例１と同様である。
【００３８】
流入室３に流入した洗浄水の一部は、筒体２０の大径部２２側の端部の開口２４および側面に形成された貫通孔２３から筒体２０の内部に流入して、筒体２０の軸方向を縮径部２１の先端に向かって流れ、外部に吐水される。そして、縮径部２１の先端から流出した洗浄水は、ヘッド４０内部のバッファ室４３に流入する。流入室３内の洗浄水が筒体２０の内部に流入して筒体２０の内部を流れるときには、まだ旋回成分を持っている。また、縮径部２１という比較的狭い流路を流れる際には流速が速くなる。
【００３９】
バッファ室４３は、流入室３及び筒体２０に比べて径方向寸法が大きな扁平状の空間であるので、縮径部２１の先端から流れ込んでくる洗浄水の勢いを減少させることができる。すなわち、特別な機構や部品を追加することなくバッファ室４３に洗浄水を一時的に貯留することのみで、洗浄水の流速を大きく落とすことができ、また旋回成分も失わせることができる。このようにしてバッファ室４３で洗浄水が整流されるため、バッファ室４３に連通する複数の吐水孔４５から外部に吐水される際に、ミスト状にならずきれいなシャワー状に吐水される。
【００４０】
筒体２０及びヘッド４０は、前述したように首振り公転と自転とを組み合わせた動きをするため、本実施形態に係る吐水装置によって得られるシャワー状の吐水流の吐水軌跡（例えば人体等に対する吐水流の衝突部位の人体表面上における移動軌跡）は、自転に起因する軌跡と、首振り公転に起因する軌跡とを組み合わせたものとなる。
【００４１】
その吐水軌跡を図８に模式的に示す。なお、図８において、吐水装置は、可動部分である筒体２０とヘッド４０のみを示し、流入室３が形成されたガイド部材１は図示を省略している。
【００４２】
筒体２０及びヘッド４０の自らの中心軸Ｃ１のまわりの一体となった自転により、その自転方向と同じｂ方向に、図７において実線で示されるような円状の軌跡を描いて移動する吐水流が形成される。ここで、吐水孔４５が筒体２０の中心軸Ｃ１に対して傾いていることから、吐水孔４５が形成された筒体２０の径よりも大きな円を描くように吐水流は移動する。
【００４３】
ここで比較例として、吐水孔４５が筒体２０の中心軸Ｃ１に対して平行な場合には、その中心軸Ｃ１に対して対称的な広がりを有する吐水流が吐水され、筒体２０及びヘッド４０が中心軸Ｃ１のまわりに自転しても、吐水流は人体等における同じ部位に当たり続けたままである。
【００４４】
これに対して本実施形態では、複数の吐水孔４５が中心軸Ｃ１に対して非対称な関係で傾斜しているため、中心軸Ｃ１に対して非対称的な広がりを有する吐水流が吐水され、筒体２０及びヘッド４０の中心軸Ｃ１のまわりの自転に伴って、吐水流が人体等に対して当たる部位が中心軸Ｃ１のまわりを移動し、比較的広範囲にわたってシャワー流を浴びせることができる構造になっている。
【００４５】
図９は、本発明の他の実施形態に係る吐水装置の模式断面図である。また、図９は、比較例にかかる吐水装置の模式断面図である。なお、前述した実施形態と同じ構成要素には同一の符号を付し、その詳細な説明は省略する。
【００４６】
本実施形態では、保持部材５１、５２を介して、例えば浴室やシャワーブースの壁５０に対して球体部２が保持されている。球体部２の外周面と保持部材５２との間にはシールリング５５が介在され、球体部２の外周面と保持部材５１との間にはシールリング５６が介在され、球体部２は保持部材５１、５２に対して液密に上下方向や左右方向あるいは斜め方向に回動可能となっている。球体部２が回動することにより、散水板４４の表面部が向く方向を変えることができ、その散水板４４に形成された吐水孔４５から吐水される吐水流の吐水方向の調節が可能となる。
【００４７】
図示しない配管等を導かれてきた洗浄水は、保持部材５１に形成された流入孔５３から保持部材５１の内部に流入し、さらに封止部材６に形成された流入孔５４に流入する。封止部材６に形成された流入孔５４において流入室３に通じる下流側は流入室３の中心軸に対して傾斜しているため、その流入孔５４を通過した洗浄水は、流入室３に対して接線方向から流入し流入室３内で旋回流となる。
【００４８】
ここで、前述したように、筒体２０と流入室３とが互いの中心軸を一致させた状態では、縮径部２１の外周面と開口部４の内壁面との間に隙間が形成されている。これにより、筒体２０およびヘッド４０は、ガイド部材１に対して自由に自転したり揺動を行う首振り公転することができる。そのため、流入孔５から流入室３に流入した洗浄水であって、筒体２０に流入できなかった洗浄水は、図８に表した矢印Hや矢印Iのように、縮径部２１の外周面と開口部４の内壁面との間の隙間を通ってヘッド４０の外周面に伝わっていく場合がある。
【００４９】
ヘッド４０に伝わった洗浄水７６は、ヘッド４０の首振り公転あるいは自転による遠心力を受けて、図９に表したように、ヘッド４０の円周方向に飛散する場合がある。さらに、洗浄水がヘッド４０の円周方向に飛散しない場合であっても、ヘッド４０の外周面に溜まった洗浄水７８が、図９に表したように、垂れる場合がある。
このように飛散した洗浄水７６や垂れた洗浄水７８は、バッファ室４３に一時的に貯留された洗浄水ではなく、ヘッド４０の外周面を伝わった洗浄水であるため、吐水孔４５から吐水された洗浄水よりも温度が低い。そのため、使用者が、飛散した洗浄水７６や垂れた洗浄水７８を浴びると、その洗浄水に対して冷たさを感じるおそれがある。
【００５０】
これに対して、本実施形態にかかる吐水装置では、筒体２０は前述したようにリブ部２６を有している。そのため、洗浄水が、縮径部２１の外周面と開口部４の内壁面との間の隙間を通って、図１０に表した矢印Ａあるいは矢印Ｂのようにヘッド４０の外周面に伝わったとしても、本実施形態の吐水装置は、ヘッド４０の円周方向に飛散する洗浄水や垂れる洗浄水の量を抑えることができる。
【００５１】
これにより、使用者は、バッファ室４３に一時的に貯留され、吐水孔４５から吐水された洗浄水を多く浴びることができる。そのため、使用者が洗浄水に対して冷たさを感じるおそれは少ない。したがって、本実施形態の吐水装置は、使用者に不快感を与えることなく人体等の広範囲を効率よく温めることができる。
【００５２】
図１１は、本発明の第３の実施形態に係る吐水装置の模式断面図を示す。  
本実施形態に係る吐水装置は、主として、ガイド部材１と、筒体２０とヘッド４０とリブ部２７を備えている。ガイド部材１の構成は実施例１または実施例２と同様である。
【００５３】
筒体２０は、縮径部２１と大径部２２とを有する概略ボトル形状に形成されており、大径部２２の外径寸法は流入室３の内径寸法より小さく、大径部２２は流入室３の内部に収容されている。その大径部２２に一体に設けられた縮径部２１の外径寸法は開口部４の内径寸法より小さく、縮径部２１は開口部４を貫通して、その先端が球体部２の外部に突出している。
【００５４】
筒体２０の軸方向の両端は開口され、大径部２２側の開口２４から筒体２０内部に流入した洗浄水は、筒体２０内部を軸方向に流れて、縮径部２１の先端から筒体２０の外部に流出可能である。
【００５５】
ヘッド４０は筒体２０よりも径方向寸法が大きな扁平状に形成され、その径方向の中心を筒体２０の中心軸Ｃ１に一致させている。ヘッド４０は、漏斗状のバッファ部材４１と散水板４４とで構成され、バッファ部材４１の下面には前記ガイド部材１の開口部４方向に延伸するリブ部２７を有する。バッファ部材４１の細管部４２の内部に筒体２０の縮径部２１の先端が嵌合固定され、これにより、筒体２０及びヘッド４０は両者一体となって自転したり揺動を行う首振り公転する。
【００５６】
バッファ部材４１の内部にはバッファ室４３が形成され、筒体２０の縮径部２１の先端の開口はバッファ室４３に臨んでいる。バッファ室４３の径方向寸法は筒体２０の径方向寸法より大きく、バッファ室４３には縮径部２１の先端から流出した洗浄水が一時的に貯留可能となっている。
【００５７】
散水板４４は、バッファ室４３における細管部４２とは反対側の開口を塞ぐ蓋状に設けられている。散水板４４は筒体２０よりも径方向寸法が大きな円盤状に形成され、散水板４４にはその厚さ方向を貫通する複数の吐水孔４５が形成されている。吐水孔４５の一端はバッファ室４３に連通し、他端はヘッド４０の外部に臨んでいる。
【００５８】
複数の吐水孔４５は、散水板４４における少なくとも外周側部分に周方向に沿って形成されている。各々の吐水孔４５は、その軸方向が筒体２０の中心軸Ｃ１に対して平行ではなく傾いている。本実施形態では、すべての吐水孔４５が同じ方向に傾斜している。したがって、各々の吐水孔４５は、筒体２０の中心軸Ｃ１に対して非対称な関係で傾斜している
【００５９】
次に、本実施形態に係る吐水装置の動作および吐水流の動き（軌跡）について説明する。
筒体２０及びヘッド４０が吐水流から受ける作用によって自身の中心軸Ｃ１のまわりに自転しつつ、流入室３の中心軸Ｃ２のまわりに首振り公転する動作は実施例２で前述したとおりであるのでその詳細な説明は省略する。
【００６０】
ここで、前述したように、筒体２０と流入室３とが互いの中心軸を一致させた状態では、縮径部２１の外周面と開口部４の内壁面との間に隙間が形成されている。これにより、筒体２０およびヘッド４０は、ガイド部材１に対して自由に自転したり揺動を行う首振り公転することができる。そのため、流入孔５から流入室３に流入した洗浄水であって、筒体２０に流入できなかった洗浄水は、図７に表した矢印Hや矢印Iのように、縮径部２１の外周面と開口部４の内壁面との間の隙間を通ってヘッド４０の外周面に伝わっていく場合がある。
【００６１】
ヘッド４０に伝わった洗浄水７６は、ヘッド４０の首振り公転あるいは自転による遠心力を受けて、図8に表したように、ヘッド４０の円周方向に飛散する場合がある。さらに、洗浄水がヘッド４０の円周方向に飛散しない場合であっても、ヘッド４０の外周面に溜まった洗浄水７８が、図９に表したように、垂れる場合がある。
このように飛散した洗浄水７６や垂れた洗浄水７８は、バッファ室４３に一時的に貯留された洗浄水ではなく、ヘッド４０の外周面を伝わった洗浄水であるため、吐水孔４５から吐水された洗浄水よりも温度が低い。そのため、使用者が、飛散した洗浄水７６や垂れた洗浄水７８を浴びると、その洗浄水に対して冷たさを感じるおそれがある。
【００６２】
これに対して、本実施形態にかかる吐水装置では、バッファ室４３の下面にリブ部２７を有している。そのため、洗浄水が、縮径部２１の外周面と開口部４の内壁面との間の隙間を通って、図１２に表した矢印Ｊあるいは矢印Ｋようにヘッド４０の外周面に伝わったとしても、本実施形態の吐水装置は、ヘッド４０の円周方向に飛散する洗浄水や垂れる洗浄水の量を抑えることができる。また、実施例１または実施例２のようにリブ部を筒体２０の先端に設けた場合よりも、飛散する洗浄水を広範囲に防ぐことができる。
【００６３】
洗浄水が垂れた場合であっても、その洗浄水７４は、図１２に表したように、例えば壁５０に略沿うように垂れるため、垂れた洗浄水７４を使用者が浴びるおそれは少ない。
これにより、使用者は、バッファ室４３に一時的に貯留され、吐水孔４５から吐水された洗浄水を多く浴びることができる。そのため、使用者が洗浄水に対して冷たさを感じるおそれは少ない。したがって、本実施形態の吐水装置は、使用者に不快感を与えることなく人体等を温めることができる。
【００６４】
なお、本発明の吐水装置は、例えば、浴室やシャワーブースにおけるシャワー装置、洗浄機能付き便器などに用いることが可能である。
【図面の簡単な説明】
【００６５】
【図１】本発明の実施形態に係る吐水装置の模式断面図。
【図２】同実施形態に係る吐水装置における流入室及びこの内部に収容された筒体（の大径部）を平面方向から見た模式図。
【図３】本発明の実施形態に関わる吐水装置の模式断面図。
【図４】同実施形態に係る吐水装置から吐水される吐水流の挙動を説明するた            めの模式図。
【図５】比較例に関わる吐水装置から漏れ出す水の挙動を説明するための模式図。
【図６】同実施形態に係る吐水装置から漏れ出す水の挙動を説明するための模式図。
【図７】本発明の他の実施形態に係る吐水装置の模式断面図。
【図８】同実施形態に係る吐水装置から吐水される吐水流の挙動を説明するための模式図。
【図９】比較例に関わる吐水装置から漏れ出す水の挙動を説明するための模式            図。
【図１０】同実施形態に係る吐水装置から漏れ出す水の挙動を説明するための模式図
【図１１】本発明のさらに他の実施形態に係る吐水装置の模式断面図。
【図１２】同実施形態に係る吐水装置から漏れ出す水の挙動を説明するための模式図
【符号の説明】
【００６６】
１…ガイド部材、３…流入室、４…開口部、５…洗浄水の流入孔、２０…筒体、２１…縮径部、２６…リブ部、７２、７４、７６、７８…洗浄水
【図１】
2010075894.tif 000003
【図２】
2010075894.tif 000004
【図３】
2010075894.tif 000005
【図４】
2010075894.tif 000006
【図５】
2010075894.tif 000007
【図６】
2010075894.tif 000008
【図７】
2010075894.tif 000009
【図８】
2010075894.tif 000010
【図９】
2010075894.tif 000011
【図１０】
2010075894.tif 000012
【図１１】
2010075894.tif 000013
【図１２】
2010075894.tif 000014